(57)【特許請求の範囲】
【請求項１】
複数のワイヤレス送信器と、上記ワイヤレス送信器から送信されてきたワイヤレス信号を受信して、そのワイヤレス信号で特定される処理を実行するワイヤレス受信器とを組み合わせて構成したワイヤレスシステムにおいて、
上記ワイヤレス受信機は、予め上記ワイヤレス送信器の各種処理種別が選択され、その処理種別が選択されている状態で、いずれかのワイヤレス送信器からワイヤレス信号を受信したときに、そのワイヤレス信号に含まれる送信器識別番号を抽出して、選択された処理種別を対応付けて登録する登録モードを実行することによって、上記ワイヤレス送信器を、上記選択されている処理種別を行うためのワイヤレス送信器として登録しておき、
上記ワイヤレス送信器から上記送信器識別番号を含むワイヤレス信号を受信したときに、そのワイヤレス信号から上記送信器識別番号を抽出し、対応して登録されている処理種別に基づく処理を実行する構成としており、
上記登録モードにおいて、上記処理種別として、上記ワイヤレス送信器の番号を表示窓に表示するとともに報知音を出力する呼出処理が選択されている状態で、いずれかのワイヤレス送信器からワイヤレス信号を受信したときに、そのワイヤレス送信器の送信器識別番号と、該呼出処理とを対応づけて登録しておき、呼出処理が対応付けて登録されたワイヤレス送信器からのワイヤレス信号を受信したときに、呼出処理を実行させるようにしたことを特徴とするワイヤレスシステム。
【請求項２】
複数のワイヤレス送信器と、上記ワイヤレス送信器から送信されてきたワイヤレス信号を受信して、そのワイヤレス信号で特定される処理を実行するワイヤレス受信器とを組み合わせて構成したワイヤレスシステムにおいて、
上記ワイヤレス受信機は、予め上記ワイヤレス送信器の各種処理種別が選択され、その処理種別が選択されている状態で、いずれかのワイヤレス送信器からワイヤレス信号を受信したときに、そのワイヤレス信号に含まれる送信器識別番号を抽出して、選択された処理種別を対応付けて登録する登録モードを実行することによって、上記ワイヤレス送信器を、上記選択されている処理種別を行うためのワイヤレス送信器として登録しておき、上記ワイヤレス送信器から上記送信器識別番号を含むワイヤレス信号を受信したときに、そのワイヤレス信号から上記送信器識別番号を抽出し、対応して登録されている処理種別に基づく処理を実行する構成としており、
上記登録モードにおいて、上記処理種別として、各々の処理種別で規定される処理の設定モード実行処理が選択されている状態で、いずれかのワイヤレス送信器からワイヤレス信号を受信したときに、そのワイヤレス送信器の送信器識別情報と、該設定モード実行処理とを対応づけて登録しておき、上記設定モード実行処理が対応付けて登録されたワイヤレス送信器からのワイヤレス信号を受信したときに、上記設定モード実行処理を実行させるようにしたことを特徴とするワイヤレスシステム。
【発明の詳細な説明】
【０００１】
【発明の属する技術分野】
本発明は、複数のワイヤレス送信器と、上記ワイヤレス送信器から送信されてきたワイヤレス信号を受信して、そのワイヤレス信号で特定される処理を実行するワイヤレス受信器とを組み合わせて構成したワイヤレスシステムの改良に関する。
【０００２】
【従来の技術】
従来から、レストランなどでは、ワイヤレスシステムが広く利用されており、複数のワイヤレス送信器と、ワイヤレス送信器から送信されてきたワイヤレス信号を受信して、そのワイヤレス信号で特定される処理を実行するワイヤレス受信器とを組み合わせて構成している。
【０００３】
ワイヤレス送信器としては、ワイヤレス呼出送信器があり、この送信器が操作されると、送信器識別情報を含むワイヤレス信号が送信され、これをワイヤレス受信器が受信し、呼出をしたワイヤレス送信器の番号を表示窓に表示し、所定の報知音を出力する。
【０００４】
また、ワイヤレス受信器における送信器番号を表示する明るさを時間帯別に設定したり、ワイヤレス受信器における呼出音の音量、音色などを設定したり、ワイヤレス受信器における警報モードの入り切り設定をするため、それぞれの目的に応じた送信器を備えており、目的に応じた送信器を操作することによって、各種処理の設定モードを実行させて設定状態の変更をするようにしている。なお、これらの設定状態の変更は受信器側の操作によってもすることができる。
【０００５】
【発明が解決しようとする課題】
ところが、上記したワイヤレスシステムでは、ワイヤレス受信器に表示されている番号を消去するためには、専用の送信器を操作する必要があり、例えば、ワイヤレスシステムをレストランで使用する場合、ウエイトレスが接客を終えて受信器の番号表示を消去したい場合、手持ちあるいは近隣に設置された番号消去用の送信器を操作しなければならず、手間であった。
【０００６】
また、ワイヤレス受信器の各種処理の設定モードを実行させて設定状態の変更をするには、目的に応じた専用の送信器を操作しなければならず、目的に応じた送信器を探す手間がかかったり、送信器を紛失したりしていた。
【０００７】
本発明は、上記事情を考慮してなされたものであり、１種類のワイヤレス送信器を、あらゆる目的で使用することのできるワイヤレスシステムを提供することを目的としている。
【０００８】
【課題を解決するための手段】
上記目的を達成するために、本発明の請求項１に記載のワイヤレスシステムでは、ワイヤレス受信機は、予めワイヤレス送信器の各種処理種別が選択され、その処理種別が選択されている状態で、いずれかのワイヤレス送信器からワイヤレス信号を受信したときに、そのワイヤレス信号に含まれる送信器識別番号を抽出して、選択された処理種別を対応付けて登録する登録モードを実行することによって、ワイヤレス送信器を、選択されている処理種別を行うためのワイヤレス送信器として登録しておき、ワイヤレス送信器から送信器識別番号を含むワイヤレス信号を受信したときに、そのワイヤレス信号から送信器識別番号を抽出し、対応して登録されている処理種別に基づく処理を実行する構成としており、登録モードにおいて、処理種別として、ワイヤレス送信器の番号を表示窓に表示するとともに報知音を出力する呼出処理が選択されている状態で、いずれかのワイヤレス送信器からワイヤレス信号を受信したときに、そのワイヤレス送信器の送信器識別番号と、該呼出処理とを対応づけて登録しておき、呼出処理が対応付けて登録されたワイヤレス送信器からのワイヤレス信号を受信したときに、呼出処理を実行させるようにしたことを特徴とする。
【０００９】
請求項２に記載のワイヤレスシステムでは、ワイヤレス受信機は、予めワイヤレス送信器の各種処理種別が選択され、その処理種別が選択されている状態で、いずれかのワイヤレス送信器からワイヤレス信号を受信したときに、そのワイヤレス信号に含まれる送信器識別番号を抽出して、選択された処理種別を対応付けて登録する登録モードを実行することによって、ワイヤレス送信器を、選択されている処理種別を行うためのワイヤレス送信器として登録しておき、ワイヤレス送信器から送信器識別番号を含むワイヤレス信号を受信したときに、そのワイヤレス信号から送信器識別番号を抽出し、対応して登録されている処理種別に基づく処理を実行する構成としており、登録モードにおいて、処理種別として、各々の処理種別で規定される処理の設定モード実行処理が選択されている状態で、いずれかのワイヤレス送信器からワイヤレス信号を受信したときに、そのワイヤレス送信器の送信器識別情報と、該設定モード実行処理とを対応づけて登録しておき、設定モード実行処理が対応付けて登録されたワイヤレス送信器からのワイヤレス信号を受信したときに、設定モード実行処理を実行させるようにしたことを特徴とする。
【００１４】
【発明の実施の形態】
以下に、本発明の実施の形態について、図面とともに説明する。図１は、本発明のワイヤレス呼出システムの要部構成の一例を示す図である。
【００１５】
このシステムは、少なくとも、ワイヤレス受信器１と、複数のワイヤレス送信器５Ａ〜５Ｅで構成される。なお、その他の構成要素については後述する。
【００１６】
ワイヤレス受信器１は、ワイヤレス送信器５Ａ〜５Ｅを登録する登録モードを備えており、この登録モードにおいては、図２のフローチャートにも示すように、これらの送信器５Ａ〜５Ｅの送信器識別情報、例えば、ＩＤコードに対応して、ワイヤレス受信器１のなすべき処理を登録できる。
【００１７】
ワイヤレス受信器１は、実行する処理、すなわち、ワイヤレス呼出処理、ワイヤレス呼出番号消去処理、ワイヤレス呼出処理における、送信器番号の表示明度設定を時間帯別に設定する処理、呼出音の音量、音色などを設定する処理や、所定の警報モードの入り切り設定などの各種設定モードを、目的別に、スイッチ操作などにより選択して実行できる（１００）。
【００１８】
このような状態で、登録したいワイヤレス送信器５Ａ〜５Ｃの操作釦を操作してワイヤレス信号を送出すると、ワイヤレス受信器１はこれを受信し（１０１）、ついで、そのワイヤレス信号に含まれる送信器識別番号を抽出し（１０２）、その送信器識別番号と実行すべき処理コマンドとを対応付けて記憶する（１０３）。
【００１９】
このような手順でワイヤレス送信器５Ａ〜５Ｅを登録すると、ワイヤレス受信器１は、送信器５Ａ〜５Ｅからワイヤレス信号を受信すると、以下の処理をなす。すなわち、図３のフローチャートに示すように、ワイヤレス受信器１は、送信器５Ａ〜５Ｅからのワイヤレス信号を受信すると（２００）、その信号に含まれる送信器識別番号を抽出し（２０１）、その識別番号に対応して予め登録されている処理コマンドを抽出し（２０２）、抽出した処理コマンドに基づく処理を実行する（２０３）。
【００２０】
ついで、これについて、詳しく説明する。ここでは、送信器５Ａ，５Ｄがワイヤレス呼出処理用として登録されたもの、送信器５Ｂ，５Ｅがワイヤレス呼出番号消去処理用として登録されたもの、送信器５Ｃがワイヤレス呼出処理における、送信器番号の表示明度設定を時間帯別に設定する処理用として登録されたものである場合について説明する。
【００２１】
ワイヤレス受信器１は、送信器５Ａからワイヤレス信号を受信すると、そのワイヤレス信号に含まれる送信器識別情報を抽出し、そのワイヤレス送信器５Ａの番号を表示窓に表示するとともに報知音を出力する。
【００２２】
送信器５Ｄからは、複数ある操作釦のそれぞれの操作によって、異なるＩＤコードである送信器識別情報が送信されるようになっており、送信器識別情報で規定されるＩＤコードに基づいて、複数ある番号のいずれかの番号を表示するとともに報知音を出力する。
【００２３】
また、送信器５Ｂからワイヤレス信号を受信すると、そのワイヤレス信号に含まれる送信器識別情報を抽出し、その送信器５Ｂに係る番号表示を消去する。
【００２４】
送信器５Ｅからは、複数ある操作釦のそれぞれの操作によって、異なるＩＤコードである送信器識別情報が送信されるようになっており、送信器識別情報で規定されるＩＤコードに基づいて、複数ある番号のいずれかの番号表示を消去する。
【００２５】
ここで、ワイヤレス送信器５Ａからの呼出を受けた際における表示態様は、図４に示すようになっている。すなわち、ワイヤレス受信器１では、ワイヤレス送信器５Ａから呼出信号を受信したときには、３通りの表示態様でもって、表示窓に呼出情報を表示できる。
【００２６】
まず、番号表示態様として、ワイヤレス送信器５Ａ毎に定められた表示窓２１Ａ〜２１Ｈに、ワイヤレス送信器５Ａの番号を表示する固定表示を実行できる。これは、図４（ａ）に示すものであるが、ワイヤレス送信器５Ａに割り付けた番号が例えば「１」の場合は、その番号は固定した表示窓、すなわち、表示窓２１Ａに表示され、送信器５Ａの番号が例えば「６」の場合は、その番号は固定した表示窓、すなわち、表示窓２１Ｄに表示される。
【００２７】
また、ワイヤレス送信器５Ａの番号を、表示窓２１Ａ〜２１Ｈの配列に従って、送信器５Ａの番号順に表示する番号順表示を実行できる。これは、図４（ｂ）に示すものであるが、呼出をした送信器５Ａの番号が表示される表示窓２１Ａ〜２１Ｈは固定されておらず、表示窓２１Ａ〜２１Ｈの配列に従って、送信器５Ａの番号がその番号順に表示される。例えば、番号１、３，６，８の送信器５Ａから呼出を受けた場合、番号「１」の送信器５Ａからの呼出は表示窓２１Ａに表示され、番号「３」の送信器５Ａからの呼出は表示窓２１Ｃに表示され、番号「６」の送信器５Ａからの呼出は表示窓２１Ｅに表示され、番号「８」の送信器５Ａからの呼出は表示窓２１Ｇに表示される。
【００２８】
また、ワイヤレス送信器５Ａの番号を、表示窓２１Ａ〜２１Ｈの配列に従って、送信器５Ａからの呼出信号受信順に表示する呼出順表示を実行できる。これは、図４（ｃ）に示すものであるが、呼出をした送信器５Ａの番号順に表示される。例えば、送信器５Ａからの呼出が、１，８，３，６の順である場合は、番号「１」の送信器５Ａからの呼出は表示窓２１Ａに表示され、番号「８」の送信器５Ａからの呼出は表示窓２１Ｃに表示され、番号「３」の送信器５Ａからの呼出は表示窓２１Ｅに表示され、番号「６」の送信器５Ａからの呼出は表示窓２１Ｇに表示される。なお、ワイヤレス呼出受信器１は、これらの番号表示とともに、所定の呼出音を出力する。
【００２９】
これらの機能のいずれを実行するかは、ワイヤレス受信器１における後述する処理によってユーザが任意に設定でき、どの機能を実行しているかは、後述する表示機能通知部によって、その旨を表示などにより通知する。
【００３０】
更に、送信器５Ｃからワイヤレス信号を受信すると、ワイヤレス呼出処理における、送信器番号の表示明度設定モードを実行し、続けて送信器５Ｃを操作すると、その度にワイヤレス信号が受信器１に受信され、設定情報、すなわち、「明るい」、「中」、「暗い」といったように順次設定状態が切り替わる。
【００３１】
ワイヤレス呼出受信器１は、図４に示すような構成をしており、無線受信部１１がアンテナａを通じてワイヤレス信号を受信すると、その信号を復調部１２で復調した後、波形整形部１３で整形し、信号処理部１０が信号の内容を判別する。無線受信部１１は、ＰＬＬ制御部１４によって発振制御がされている。
【００３２】
ＲＡＭなどで構成された記憶部１５には、予め、ワイヤレス信号に含まれる送信器識別情報に対応した処理が登録されており、信号処理部１０は、ワイヤレス信号を受信すると記憶部１５を参照して処理を判断する。
【００３３】
また、１６はその他の押しボタンなどで構成される操作部、１７は表示窓や液晶ディスプレイなどで構成される表示部、１８はチャイム音や音声メッセージなどによって、呼出音などを報知する報知部１８、１９は後述する呼出メッセージ鳴動器といった外部機器に呼出情報を出力する外部データ出力部である。
【００３４】
ワイヤレス呼出送信器５Ａ〜５Ｅは、図５に示すような構成をしており、操作釦５１が操作されると、報知／表示部が点灯あるいは点滅する。そして、信号処理部５０がデータ記憶部５２を参照して、この送信器５Ａ〜５Ｅに対応して予め登録されている送信器識別情報を読み出し、その情報を含んだワイヤレス信号を無線送信部５３によってアンテナａ’を通じて送信する。ここで、無線送信部５３は、ＰＬＬ制御部５５によって発振制御がされている。なお、５７はこの送信器５Ａを動作させるための電池である。
【００３５】
本発明のワイヤレス呼出システムでは、ワイヤレス受信器１、ワイヤレス送信器５Ａ〜５Ｅの他、以下の構成要素を備える。
【００３６】
すなわち、１’は増設受信器であり、受信器１で表示される内容と同じ表示がなされる。２は増設アンテナであり、送信器５Ａ〜５Ｅからのワイヤレス信号が受信器１に到達しにくい場合に使用される。３は増設スピーカであり、受信器１から出力される報知音が到達しにくい場所で使用される。
【００３７】
また、４は各種センサである。４Ａは、人体検知センサであり、来客などを検知すれば、その検知信号を受信器１に出力して、受信器１から所定の音を出力させる。４Ｂは、録音・再生機能付センサであり、来客などを検知すれば、その検知信号を受信器１に出力して、受信器１から所定の音を出力させる他、来客に対する音声メッセージを自由に録音して、来客などを検知したときに当該録音した音声メッセージを再生する。
【００３８】
６は呼出メッセージ鳴動器であり、送信器５Ａ，５Ｄから呼出があったときには、その旨を、表示器に表示した番号を含めて呼出メッセージとして伝える。
【００３９】
【発明の効果】
以上の説明からも理解できるように、請求項１，２によれば、登録モードにおいて処理種別を選択しておいた状態でワイヤレス送信器よりワイヤレス信号を受信して、選択されている処理種別を送信器識別番号に応じて登録しておけば、そのワイヤレス送信器よりワイヤレス信号を受信したときには、その送信器識別番号に応じた処理種別の処理が実行されるので、１種類のワイヤレス送信器をあらゆる目的で使用することができ、用途に応じて送信器を使い分ける必要がなく、利便にできる。
【図面の簡単な説明】
【図１】本発明のワイヤレスシステムの要部構成の一例を示す図である。
【図２】ワイヤレス受信器における送信器登録モードについて説明するためのフローチャートである。
【図３】ワイヤレス受信器の動作について説明するためのフローチャートである。
【図４】ワイヤレス受信器が、送信器からの呼出を受けた際の表示態様について説明するための図である。
【図５】ワイヤレス受信器の内部構成の一例を示す図である。
【図６】ワイヤレス送信器の内部構成の一例を示す図である。
【符号の説明】
１・・・ワイヤレス受信器
５Ａ〜５Ｅ・・・ワイヤレス送信器
【図１】
0003932905.tif 000002
【図２】
0003932905.tif 000003
【図３】
0003932905.tif 000004
【図４】
0003932905.tif 000005
【図５】
0003932905.tif 000006
【図６】
0003932905.tif 000007